(57)【要約】【課題】携帯型照明器具を外部部材に対して強固に固定できる携帯型照明器具の保持装置を提供する。【解決手段】光を照射した状態で携帯可能な携帯型照明器具２の本体３に取り付けられて、携帯型照明器具を外部部材に着脱自在に保持させる携帯型照明器具の保持装置１であって、本体に外装されるバンド部材１０と、本体を挟んでバンド部材の反対側位置に配置して、本体に外装したバンド部材の一端が固定されて他端が係合された装置本体２０と、装置本体に螺合して回転操作により本体側へ移動可能なネジ送り部材と、ネジ送り部材の本体側の端部に設けられて、本体への押圧面を備えた押圧体４０と、装置本体に支持されて外部部材に着脱可能な着脱部５０と、を備えた。【選択図】図３
2012119266.tif 000002
【特許請求の範囲】
【請求項１】
光を照射した状態で携帯可能な携帯型照明器具の本体に取り付けられて、前記携帯型照明器具を外部部材に着脱自在に保持させる携帯型照明器具の保持装置であって、
前記本体に外装されるバンド部材と、
前記本体を挟んで前記バンド部材の反対側位置に配置して、前記本体に外装した前記バンド部材の一端が固定されて他端が係合された装置本体と、
前記装置本体に螺合して回転操作により前記本体側へ移動可能なネジ送り部材と、
前記ネジ送り部材の前記本体側の端部に設けられて、前記本体への押圧面を備えた押圧体と、
前記装置本体に支持されて前記外部部材に着脱可能な着脱部と、
を備えたことを特徴とする携帯型照明器具の保持装置。
【請求項２】
前記着脱部は磁石で形成されたことを特徴とする請求項１に記載の携帯型照明器具の保持装置。
【請求項３】
前記ネジ送り部材の前記本体側とは反対側の端部に、前記磁石を連結したことを特徴とする請求項１又は２に記載の携帯型照明器具の保持装置。
【請求項４】
前記磁石の周囲に第１の弾性部材を巻着して、該第１の弾性部材を前記磁石の吸着面から突出させたことを特徴とする請求項２又は３に記載の携帯型照明器具の保持装置。
【請求項５】
前記バンド部材の他端に前記装置本体に係合可能な係止部材を設けて、前記装置本体に前記係止部材を係合するための係合操作部材を前記係止部材に一体形成したことを特徴とする請求項１ないし４のいずれかに記載の携帯型照明器具の保持装置。
【請求項６】
前記押圧面を円弧状に形成し、該押圧面に、前記本体に圧接可能な第２の弾性部材を設けたことを特徴とする請求項１ないし５のいずれかに記載の携帯型照明器具の保持装置。
【発明の詳細な説明】
【技術分野】
【０００１】
この発明は、携帯型照明器具を外部部材に着脱自在に保持させる携帯型照明器具の保持装置に関する。
【背景技術】
【０００２】
例えば特許文献１には、携帯用照明器具を保持しつつヘルメット等に着脱可能な照明具ホルダーが開示されている。特許文献１の照明具ホルダでは、基盤に連結された帯状のベルトを携帯用照明器具に巻き付けて該ベルトの両端部を面ファスナーで接合することで携帯用照明器具を基盤に固定した上で、基盤の裏面の面ファスナーをヘルメットに貼り付けた面ファスナーに接合させて、携帯用照明器具をヘルメットに装着できる。
【先行技術文献】
【特許文献】
【０００３】
【特許文献１】特開２００６−１２７２５号公報
【発明の概要】
【発明が解決しようとする課題】
【０００４】
しかしながら、上記の照明具ホルダでは、基盤の面ファスナーをヘルメットの面ファスナーに対して圧着したり引き離したりすることを繰り返すと、二つの面ファスナー同士の接合力が弱まるという問題があった。このような場合には、携帯用照明器具が目標位置に光を照射しているにもかかわらずヘルメット等の外部部材から落下することが懸念されていた。
【０００５】
この発明は、このような状況に鑑み提案されたものであって、携帯型照明器具を外部部材に対して強固に固定できる携帯型照明器具の保持装置を提供することを目的とする。
【課題を解決するための手段】
【０００６】
請求項１の発明に係る携帯型照明器具の保持装置は、光を照射した状態で携帯可能な携帯型照明器具の本体に取り付けられて、前記携帯型照明器具を外部部材に着脱自在に保持させる携帯型照明器具の保持装置であって、前記本体に外装されるバンド部材と、前記本体を挟んで前記バンド部材の反対側位置に配置して、前記本体に外装した前記バンド部材の一端が固定されて他端が係合された装置本体と、前記装置本体に螺合して回転操作により前記本体側へ移動可能なネジ送り部材と、前記ネジ送り部材の前記本体側の端部に設けられて、前記本体への押圧面を備えた押圧体と、前記装置本体に支持されて前記外部部材に着脱可能な着脱部と、を備えたことを特徴とする。
【０００７】
請求項２の発明は、請求項１において、前記着脱部は磁石で形成されたことを特徴とする。
【０００８】
請求項３の発明は、請求項１又は２において、前記ネジ送り部材の前記本体側とは反対側の端部に、前記磁石を連結したことを特徴とする。
【０００９】
請求項４の発明は、請求項２又は３において、前記磁石の周囲に第１の弾性部材を巻着して、該第１の弾性部材を前記磁石の吸着面から突出させたことを特徴とする。
【００１０】
請求項５の発明は、請求項１ないし４のいずれかにおいて、前記バンド部材の他端に前記装置本体に係合可能な係止部材を設けて、前記装置本体に前記係止部材を係合するための係合操作部材を前記係止部材に一体形成したことを特徴とする。
【００１１】
請求項６の発明は、請求項１ないし５のいずれかにおいて、前記押圧面を円弧状に形成し、該押圧面に、前記本体に圧接可能な第２の弾性部材を設けたことを特徴とする。
【発明の効果】
【００１２】
請求項１の発明に係る携帯型照明器具の保持装置によれば、ネジ送り部材を回転操作して押圧体を携帯型照明器具の本体側へ移動させると、携帯型照明器具の本体を、バンド部材で外装した上でバンド部材の反対側位置から前記押圧体の押圧面で押圧して装置本体に保持できる。したがって、携帯型照明器具の本体が押圧体の押圧力によって装置本体に強固に支持された上で、携帯型照明器具を装置本体に支持された着脱部で外部部材に固定できる。
請求項２の発明によれば、着脱部を磁石の磁力で引き付けられる金属材料で形成された外部部材に吸着させて固定でき、着脱部を磁力に逆らって外部部材から引っ張るだけで外部部材から取り外すことができる。したがって、着脱部を外部部材に対して容易に着脱できる。
請求項３の発明によれば、磁石を外部部材に着脱させることに加えてネジ送り部材を回転操作するための操作部として用いることができる。
請求項４の発明によれば、第１の弾性部材は、磁石の吸着面が外部部材に吸着する前に外部部材に押し付けられて密着することで、第１の弾性部材を外部部材に対する滑り止めとして作用させることができる。加えて、第１の弾性部材が磁石と外部部材との間に介在して磁石が外部部材に衝突することを防止することで、外部部材が傷付くことを抑制できる。
請求項５の発明によれば、係合操作部材を用いることで係止部材に触れることなく係止部材を装置本体の係合位置に移動させることができる。これにより、係止部材を前記係合位置に係合させる操作が容易になる。
請求項６の発明によれば、第２の弾性部材は、本体に圧接して密着することで本体に対する滑り止めとして作用する。加えて、第２の弾性部材は本体に圧接するときに弾性変形することで本体に加わる衝撃荷重を吸収する。これにより、本体が損傷することを防止できる。
【図面の簡単な説明】
【００１３】
【図１】本発明の実施形態の保持装置を充電式懐中電灯に取り付けるときの説明図である。
【図２】充電式懐中電灯を取り付ける前の同保持装置の概略縦断面図である。
【図３】同保持装置を取り付けた充電式懐中電灯の全体斜視図である。
【図４】充電式懐中電灯を取り付けた同保持装置の概略縦断面図である。
【発明を実施するための形態】
【００１４】
本発明の実施形態を図１ないし図４を参照しつつ説明する。本実施形態の保持装置１は、携帯可能な充電式懐中電灯２の握り部３に取り付けられて、充電式懐中電灯２を、建築工事現場の鉄骨や倉庫に設置されたスチール製の収納棚等に対して着脱自在に保持させるものである。充電式懐中電灯２は、照明部４に収容されたＬＥＤによって目標位置に光を照射する。なお、充電式懐中電灯２は本発明の携帯型照明器具の一例であり、握り部３は本発明の携帯型照明器具の本体の一例であり、建築工事現場の鉄骨やスチール製の収納棚等は外部部材の一例である。
【００１５】
保持装置１は、バンド部材１０と、装置本体２０と、送りネジ３０と、押圧体４０と、永久磁石５０とを備えている。本実施形態のバンド部材１０は、帯状のナイロン織布で可撓性を有する。バンド部材１０は、図３及び図４に示すように、握り部３の周面へ外装するために用いられる。
【００１６】
装置本体２０は側面視略門型の支持部材２１を備えて、この支持部材２１は、図１に示すように、左側部２１Ａと、右側部２１Ｂと、上部２１Ｃとを有する。左側部２１Ａと右側部２１Ｂとの間には押圧体収容部２２が固定されている。図２に示すように、押圧体収容部２２は装置本体２０の下側を開放した状態で押圧体４０を取り巻くように形成されている。さらに、図２及び図４に示すように、装置本体２０の正面視であって押圧体収容部２２の左右の外側で左側部２１Ａと右側部２１Ｂとの間には棒部材Ｂ１、Ｂ２が連結されている。図４に示すようにバンド部材１０が握り部３の周面へ外装された状態では、装置本体２０は握り部３を挟んでバンド部材１０の反対側位置に配置される。
【００１７】
バンド部材１０の固定端は、棒部材Ｂ２に沿って折り返された後にバンド部材１０に縫い付けられている。バンド部材１０の開放端には、フック状の係止部材１１と係合操作部材１２とが設けられている。係止部材１１と係合操作部材１２とは、一枚の板金を折り曲げ加工することによって一体に形成されている。係止部材１１は棒部材Ｂ１に係合可能である。係合操作部材１２は、係止部材１１の基端部から係止部材１１とは反対側へ折り曲げられて延設されている。係止部材１１の基端部には貫通孔１３が開口し、係合操作部材１２には貫通孔１３と対向する位置に貫通孔１４が開口する。バンド部材１０の開放端は、両貫通孔１３、１４に通されて折り返された後にバンド部材１０に縫い付けられている。なお、バンド部材１０の固定端は本発明のバンド部材の一端の一例であり、バンド部材１０の開放端は本発明のバンド部材の他端の一例である。
【００１８】
また図２及び図４に示すように支持部材２１の上部２１Ｃには貫通孔２３が形成されて、ナットＮが貫通孔２３に同軸で外嵌されて上部２１Ｃの内部に配置されている。送りネジ３０には、その鉛直方向Ｙに螺旋形状のネジ部３１が形成されている。送りネジ３０のネジ部３１はナットＮと螺合する。送りネジ３０を水平回転操作してネジ部３１がナットＮに案内されると、図２及び図４に示すように送りネジ３０は前記鉛直方向Ｙへ移動可能となる。なお、送りネジ３０は本発明のネジ送り部材の一例である。
【００１９】
押圧体４０は送りネジ３０の下端に連結されている。押圧体４０は上記の押圧体収容部２２の内部に収容される。押圧体４０はその下端に押圧面４１を備えている。この押圧面４１は、筒状の握り部３に圧接させるために円弧状に形成されている。加えて、弾性部材４２が押圧面４１に沿って接着されている。ここでは弾性部材４２は合成ゴムによって構成されている。なお、弾性部材４２は本発明の第２の弾性部材の一例である。
【００２０】
永久磁石５０は上記の鉄骨や収納棚等に吸着させるもので円盤状とされている。この永久磁石５０は、有底で上面が開口する金属製の円筒状の磁石ホルダ５１の内部に収容されている。また、弾性部材５２が永久磁石５０と磁石ホルダ５１の内周面との間に挟み込まれることで、弾性部材５２が永久磁石５０の周囲に巻着される。図２及び図４に示すように、弾性部材５２の端面は永久磁石５０の吸着面５０Ａよりも突出している。この弾性部材５２は上記の弾性部材４２と同様に合成ゴムによって構成されている。加えて、永久磁石５０には、下面に開口して上面に向けて凹設された切込凹部Ｈが形成されている。なお、永久磁石５０は本発明の着脱部の一例であり、弾性部材５２は本発明の第１の弾性部材の一例である。
【００２１】
磁石ホルダ５１の内底面には送りネジ係止孔５３が開口する。送りネジ３０のネジ部３１が送りネジ係止孔５３に挿通された後に、送りネジ３０の頭部３２は送りネジ係止孔５３に係止されて切込凹部Ｈに入り込む。これにより、永久磁石５０は磁石ホルダ５１を介して前記頭部３２と連結されると共に磁石ホルダ５１及び送りネジ３０を介して装置本体２０に支持される。
【００２２】
次に、充電式懐中電灯２を保持装置１を用いて建築工事現場の鉄骨等に着脱する方法を説明する。図１に示すように保持装置１を握り部３に近づけた後に、図１、図３及び図４に示すように、バンド部材１０を、手（図示せず。）で係合操作部材１２を持って棒部材Ｂ２を支点として棒部材Ｂ１側へ回転移動させることで、バンド部材１０を押圧体４０とは反対側における握り部３の外周に外装させて、さらに係止部材１１を棒部材Ｂ１に係合させる。続いて永久磁石５０が収容された磁石ホルダ５１を手で持って送りネジ３０を水平回転させることで、押圧体４０を鉛直方向Ｙの握り部３側へ移動させる。これにより、図４に示すように弾性部材４２を握り部３の外周に圧接して密着させる。以上のようにして充電式懐中電灯２は押圧体４０とバンド部材１０との間に挟まれて装置本体２０に保持される。
【００２３】
その後に永久磁石５０の吸着面５０Ａを鉄骨等に近づけるだけで、吸着面５０Ａが磁力によって鉄骨等に引き付けられる。このとき弾性部材５２の端面が吸着面５０Ａよりも突出しているため、弾性部材５２は、吸着面５０Ａが鉄骨等に吸着する前に永久磁石５０と鉄骨等との間に介在して鉄骨等に押し付けられて密着する。吸着面５０Ａは磁力によって鉄骨等に密着固定されるため、充電式懐中電灯２は、照明部４を目標位置に向けて屈曲させることで鉄骨等から落下することを防ぎながら光を目標位置に照射し続けることができる。また、永久磁石５０を磁力に逆らって鉄骨等から引っ張るだけで、吸着面５０Ａを鉄骨等から取り外すことができる。
【００２４】
＜本実施形態の効果＞
本実施形態の保持装置１では、送りネジ３０を水平回転操作して押圧体４０を充電式懐中電灯２の握り部３側へ移動させると、握り部３の外周をバンド部材１０で外装した上でバンド部材１０の反対側から押圧面４１の弾性部材４２で押圧して装置本体２０に保持できる。したがって、握り部３が押圧体４１の押圧力によって装置本体２０に強固に支持された上で、充電式懐中電灯２を装置本体２０に支持された永久磁石５０で建築工事現場の鉄骨や倉庫に設置されたスチール製の収納棚等に固定できる。
【００２５】
また、永久磁石５０を、その磁力で引き付けられる建築工事現場の鉄骨等に吸着させて固定でき、永久磁石５０を磁力に逆らって前記鉄骨等から引っ張るだけで該鉄骨等から取り外すことができる。したがって、永久磁石５０を前記鉄骨等に対して容易に着脱できる。
【００２６】
さらに、永久磁石５０は、磁石ホルダ５１を介して送りネジ３０の頭部３２に連結されているため、永久磁石５０を上記の鉄骨等に着脱させることに加えて送りネジ３０を水平回転操作するための操作部として用いることができる。
【００２７】
さらに加えて、弾性部材５２は、永久磁石５０の吸着面５０Ａが鉄骨等に吸着する前に鉄骨等に押し付けられて密着することで、弾性部材５２を鉄骨等に対する滑り止めとして作用させることができる。これに加えて、弾性部材５２が永久磁石５０と鉄骨等との間に介在して永久磁石５０が鉄骨等に衝突することを防止することで、鉄骨等が傷付くことを抑制できる。
【００２８】
また、係止部材１１を装置本体２０の棒部材Ｂ１に係合させるために係合操作部材１２を用いることで係止部材１１に触れることなく係止部材１１を棒部材Ｂ１に移動させることができる。これにより、係止部材１１を棒部材Ｂ１に係合させる操作が容易になる。
【００２９】
さらに、弾性部材４２は、握り部３の外周に圧接して密着することで握り部３に対する滑り止めとして作用する。加えて、弾性部材４２は握り部３に圧接するときに弾性変形することで握り部３に加わる衝撃荷重を吸収する。これにより、握り部３が損傷することを防止できる。
【００３０】
本発明は、上述した実施形態に限定されるものではなく、発明の趣旨を逸脱しない範囲内において構成の一部を適宜変更して実施できる。上述した実施形態では、装置本体２０に保持された充電式懐中電灯２を、装置本体２０に支持された永久磁石５０で鉄骨等に着脱可能としたが、これに代えて充電式懐中電灯２を装置本体２０に支持された係止用フック等で鉄骨等に着脱可能としてもよい。
【００３１】
また、上述した実施形態では永久磁石５０は磁石ホルダ５１を介して送りネジ３０と連結したが、これに代えて磁石ホルダ５１を設けずに永久磁石５０を送りネジ３０の頭部３２と溶接等で直結してもよい。さらに、上述した実施形態では係止部材１１と係合操作部材１２とを一枚の板金を用いて一体に形成したが、これに代えて両部材１１、１２をそれぞれ別部材で形成した上で接合して一体にしてもよい。加えて、上述した実施形態では弾性部材５２を永久磁石５０の周囲に巻着したが、弾性部材５２を永久磁石の周囲に設けずに永久磁石を磁石ホルダ５１の内部に嵌着させてもよい。さらに加えて、本発明を交流電源に接続された懐中電灯に適用してもよい。
【符号の説明】
【００３２】
１・・保持装置、２・・充電式懐中電灯、３・・握り部、１０・・バンド部材、１１・・係止部材、１２・・係合操作部材、２０・・装置本体、３０・・送りネジ、４０・・押圧体、４１・・押圧面、４２・・弾性部材、５０・・永久磁石、５０Ａ・・吸着面、５２・・弾性部材。
【図１】
2012119266.tif 000003
【図２】
2012119266.tif 000004
【図３】
2012119266.tif 000005
【図４】
2012119266.tif 000006